(57)【要約】【課題】  低コストで製造可能なリング状の拡散板を提供する。【解決手段】  予め定められた第１の形状を有する拡散板の板材を用意する。第１の形状を有する板材を曲げて、予め定められた第２の形状に変形させる。拡散板を照明装置内に支持する部材である拡散板ガイドが、第２の形状に変形した板材の変形を維持しながら支持する。【選択図】図４
2018098091.tif 000002
【特許請求の範囲】
【請求項１】
予め定められた第１の形状を有する拡散板の板材を曲げて、予め定められた第２の形状に変形させた板材からなる拡散板、及び、
前記第２の形状に変形した板材の変形を維持しながら、前記拡散板を照明装置内に支持する部材である拡散板ガイド
を備える照明装置。
【請求項２】
前記第１の形状は円環扇形であり、
前記第２の形状は、前記板材の主面が円錐台の錐体面の一部乃至全部をなすように、前記板材を曲げてなる形状である
請求項１に記載の照明装置。
【請求項３】
前記照明装置は、前記拡散板ガイドとして、第１、第２及び第３の拡散板ガイドを備え、
前記第１の拡散板ガイドは、前記第２の形状に変形した板材のうち、円錐台の一方の底面に対応する第１の開口の変形を維持すると共に、前記第１の開口の移動を抑制し、
前記第２の拡散板ガイドは、前記第２の形状に変形した板材のうち、円錐台の他方の底面に対応する第２の開口の前記変形を維持し、
前記第３の拡散板ガイドは、前記第２の開口の移動を抑制する
請求項２に記載の照明装置。
【請求項４】
更に、予め定められた第３の形状を有するライトコントロールフィルムを備え、
前記拡散板ガイドは、前記第２の形状に変形した板材と共に、前記第３の形状を有するライトコントロールフィルムを支持する
請求項１乃至請求項３のいずれかに記載の照明装置。
【請求項５】
予め定められた第１の形状を有する拡散板の板材を用意する段階、
前記第１の形状を有する板材を曲げて、予め定められた第２の形状に変形させる段階、及び、
拡散板を照明装置内に支持する部材である拡散板ガイドが、前記第２の形状に変形した板材の変形を維持しながら支持する段階
を含む、照明装置の製造方法。
【請求項６】
前記第１の形状は円環扇形であり、
前記第２の形状は、前記板材の主面が円錐台の錐体面の一部乃至全部をなすように、前記板材を曲げてなる形状である
請求項５に記載の照明装置の製造方法。
【請求項７】
前記照明装置は、前記拡散板ガイドとして、第１、第２及び第３の拡散板ガイドを備え、
前記第１の拡散板ガイドは、前記第２の形状に変形した板材のうち、円錐台の一方の底面に対応する第１の開口の変形を維持すると共に、前記第１の開口の移動を抑制し、
前記第２の拡散板ガイドは、前記第２の形状に変形した板材のうち、円錐台の他方の底面に対応する第２の開口の前記変形を維持し、
前記第３の拡散板ガイドは、前記第２の開口の移動を抑制する
請求項６に記載の照明装置の製造方法。
【請求項８】
前記拡散板ガイドは、前記第２の形状に変形した板材と共に、予め定められた第３の形状を有するライトコントロールフィルムを支持する請求項５乃至請求項７のいずれかに記載の照明装置の製造方法。
【発明の詳細な説明】
【技術分野】
【０００１】
本発明は照明装置に関し、特に、リング照明装置に用いる光拡散板に関する。
【背景技術】
【０００２】
照明器具の一種にリング照明装置がある。リング照明装置は、ドーナツ状の筐体に複数の発光素子を配置した照明装置である。発光素子は筐体に沿って円環状に配置される。
【０００３】
図１３の撮影システム５０を例に挙げて説明する。撮影システム５０は、リング照明装置５１、カメラ３、ワーク４を備える。リング照明装置５１は円柱の中心に円形の開口を有するドーナツ状の装置である。図では円柱を側面から眺めているので長方形に描かれている。カメラ３は撮像装置である。撮像装置の種類は問わず、ビデオカメラ、デジタルカメラ、銀塩カメラであってもよい。ワーク４は、リング照明装置５１が光を照射する対象物であり、カメラが撮像する対象物である。ワーク４は撮影台６に載っている。カメラ３の光軸７は開口を通過してワーク４に至る。
【０００４】
リング照明装置５１はワーク４の頭上に複数の発光素子を円環状に配置する。これら複数の発光素子を全て点灯することにより、ワーク４に様々な方向から光を照射し、ワーク４の全体を均一に照らす。このためカメラ３はワーク４表面を明瞭に撮像することができる。
【０００５】
すべての発光素子を点灯する代わりに、発光素子を例えばひとつずつ順番に発光させて、発光毎に撮像して複数の画像データを生成した後、これら複数の画像データに対してコンピュータで画像処理を行うこともある。このようにすれば、特定の方向から光を当てないと陰影がはっきりしないような形状がワークにあったとしても、複数の画像データのどれかにはっきりと映っている公算が高く、これら画像データを合成してより明瞭なワークの画像を得ることができる。
【０００６】
リング照明装置５１の発光素子は例えばLED(Light Emitting Diode)である。一般にLEDは指向性の強い光を発する。指向性の強い光をワーク４に照射すると、発光素子の輪郭がワーク４上に現れて、ワーク４上の光が不均一になる場合がある。これを避けるため、発光素子を拡散板で覆うタイプのリング照明装置が用いられている。
【０００７】
この種のリング状の拡散板を備えるリング照明装置が特許文献１に記載されている。同文献によれば、投稿部材５は円環状の形状を有し（同文献第００２０段落）、「透光性及び光拡散性を有する」（同文献第００２４段落）。
【先行技術文献】
【特許文献】
【０００８】
【特許文献１】特開２００５−３１５８３９号公報
【発明の概要】
【発明が解決しようとする課題】
【０００９】
リング状乃至円環状の拡散板を製造する一般的な製造方法では、まず金型を製作し、次に、その金型を用いてリング状の拡散板を成形する。一般に金型の製作には高いコストがかかるので、こうした製造方法によって製造した拡散板を備えるリング照明装置の製造コストは高くなりやすい。
【００１０】
こうした金型を用いた製造コストは大量生産により圧縮することができる。しかし、生産量が少ない場合、こうした製造コストの圧縮効果を得ることができない。このため、大きさの異なるリング照明装置を少量ずつ製造する場合等には製造コストを抑制するのは難しい。
【００１１】
また、金型を用いて拡散板を製造する場合、特に、大型のワークのためのリング照明装置の製造コストを抑えるのが難しい。一般に、リング照明装置では、ワークを取り囲むように発光素子を配置する。このため、ワークが大型化すると、リング照明装置も大型化し、必然的に拡散板も大型化する。大型の拡散板を成形するには、大型の金型が必要になるが、一般に大型の金型の製造コストは特に高額である。その結果、従来、大型のワークに対応するリング照明装置は特に高価になりやすかった。
【００１２】
本発明はこのような状況に鑑みてなされたものであり、本発明が解決しようとする課題は、低コストで製造可能なリング状の拡散板を提供することである。
【課題を解決するための手段】
【００１３】
上述の課題を解決するため、本発明は、その一態様として、予め定められた第１の形状を有する拡散板の板材を曲げて、予め定められた第２の形状に変形させた板材からなる拡散板、及び、第２の形状に変形した板材の変形を維持しながら、拡散板を照明装置内に支持する部材である拡散板ガイドを備える照明装置を提供する。
【００１４】
第１の形状は円環扇形であり、第２の形状は、板材の主面が円錐台の錐体面の一部乃至全部をなすように、板材を曲げてなる形状であることが好ましい。
【００１５】
照明装置は、拡散板ガイドとして、第１、第２及び第３の拡散板ガイドを備えることとしてもよい。第１の拡散板ガイドは、第２の形状に変形した板材のうち、円錐台の一方の底面に対応する第１の開口の変形を維持すると共に、第１の開口の移動を抑制する。第２の拡散板ガイドは、第２の形状に変形した板材のうち、円錐台の他方の底面に対応する第２の開口の変形を維持する。第３の拡散板ガイドは、第２の開口の移動を抑制する。
【００１６】
更に、予め定められた第３の形状を有するライトコントロールフィルムを備え、拡散板ガイドは、第２の形状に変形した板材と共に、第３の形状を有するライトコントロールフィルムを支持することとしてもよい。
【００１７】
また、本発明は、他の一態様として、予め定められた第１の形状を有する拡散板の板材を用意する段階、第１の形状を有する板材を曲げて、予め定められた第２の形状に変形させる段階、及び、拡散板を照明装置内に支持する部材である拡散板ガイドが、第２の形状に変形した板材の変形を維持しながら支持する段階を含む、照明装置の製造方法を提供する。
【００１８】
第１の形状は円環扇形であり、第２の形状は、板材の主面が円錐台の錐体面の一部乃至全部をなすように、板材を曲げてなる形状であることが好ましい。
【００１９】
照明装置は、拡散板ガイドとして、第１、第２及び第３の拡散板ガイドを備えることとしてもよい。第１の拡散板ガイドは、第２の形状に変形した板材のうち、円錐台の一方の底面に対応する第１の開口の変形を維持すると共に、第１の開口の移動を抑制する。第２の拡散板ガイドは、第２の形状に変形した板材のうち、円錐台の他方の底面に対応する第２の開口の変形を維持する。第３の拡散板ガイドは、第２の開口の移動を抑制する。
【００２０】
拡散板ガイドは、第２の形状に変形した板材と共に、予め定められた第３の形状を有するライトコントロールフィルムを支持することとしてもよい。
【００２１】
尚、円環とは、同一平面上にあり、互いに半径が異なる２つの同心の円で挟まれた領域がなす形状である。円錐台とは、円錐を底面と平行な平面で切って小円錐の部分を除いた形状である。錐体面とは、平面上にない点と、その平面上の閉曲線上の各点を結ぶ直線の軌跡がなす面である。
【００２２】
第１の形状は、例えば実施の形態にいう円環扇形２３に対応する。第２の形状は、例えば実施の形態にいう拡散板１６がなす円錐台の錐体面に対応する。第３の形状は、例えば実施の形態にいうライトコントロールフィルム片３２の形状である、円環扇形に対応する。第１の拡散板ガイドは例えば実施の形態にいう拡散板ガイド１４に対応する。第２の拡散板ガイドは例えば実施の形態にいう拡散板ガイド１７に対応する。第３の拡散板ガイドは例えば実施の形態にいう拡散板ガイド１８に対応する。
【発明の効果】
【００２３】
本発明によれば、例えば拡散板を備えるリング照明装置を製造するために、金型を用意して拡散板を製造する必要がない。このため、同一仕様のリング照明装置を少量だけ製造する場合であっても、低いコストで拡散板を生産することができる。
【００２４】
また、金型を用いて拡散板を製造する場合、大型の拡散板を製造するためには大型の金型が必要になり、生産コストが大きくなりやすく、また、技術的に製造が困難だが、本発明によれば、板材を曲げて拡散板を成形するので、大型の拡散板であっても容易に製造することができる。
【図面の簡単な説明】
【００２５】
【図１】本発明の第１の実施の形態である撮影システム１の模式図である。
【図２】図１に図示したリング照明装置２を斜め上から見下ろした状態を図示した斜視図である。
【図３】図１に図示したリング照明装置２を斜め下から見上げた状態を図示した斜視図である。
【図４】リング照明装置２の分解斜視図である。
【図５】板材から切り出した直後の拡散板１６の平面図である。
【図６】板材から切り出した拡散板１６を曲げて円錐台を形成するまでの過程を説明するための図である。
【図７】板材から切り出した拡散板１６を曲げて円錐台を形成するまでの過程を説明するための図であり、板材から切り出した直後の円環扇形２３を示す平面図である。
【図８】板材から切り出した拡散板１６を曲げて円錐台を形成するまでの過程を説明するための図であり、円環扇形２３を少し丸めた状態を示す斜視図である。
【図９】板材から切り出した拡散板１６を曲げて円錐台を形成するまでの過程を説明するための図であり、円環扇形２３を丸めて、円錐台状の拡散板１６を成形した状態を示す斜視図である。
【図１０】リング照明装置２の一変形である、ライトコントロールフィルム３１を備えるリング照明装置３０の分解斜視図である。
【図１１】ライトコントロールフィルム３１を構成するライトコントロールフィルム片３２の平面図である。
【図１２】リング照明装置２の一変形が備える拡散板４０について説明するための斜視図である。
【図１３】従来のリング照明装置５１を用いた撮影システム５０の模式図である。
【発明を実施するための形態】
【００２６】
本発明の実施の形態である撮影システム１について説明する。図１を参照すると、撮影システム１は、リング照明装置２、カメラ３、ワーク４を備える。リング照明装置２は円柱の中心に円形の開口５を有するドーナツ状の装置である。図１では円柱を側面から眺めた状態なので長方形に描かれている。カメラ３は撮像装置である。カメラの種類は問わず、ビデオカメラ、デジタルカメラ、銀塩カメラであってもよい。ワーク４は、リング照明装置２が光を照射する対象物であり、カメラ３が撮像する対象物である。ワーク４は撮影台６に載っている。カメラ３の光軸７は開口５を通過してワーク４に到達する。
【００２７】
図２、３、４を参照して説明する。以下、図１の撮影システム１において、光軸７のカメラ３の側をリング照明装置２の下側或いはボトム側と呼び、ワーク４の側をリング照明装置２の上側或いはトップ側と呼ぶものとする。
【００２８】
リング照明装置２は円柱の中心に円形の開口５を有する。リング照明装置２は、ベースプレート１１、LED(Light Emitting Diode)ブラケット１２、熱伝導シート１３−１〜１３−１６、拡散板ガイド１４、LED基板１５−１〜１５−１６、拡散板１６、拡散板ガイド１７、１８を備える。
【００２９】
ベースプレート１１は、アルミニウム等からなる円環状の金属板である。ベースプレート１１はねじ穴１１Ａ、１１Ｂ、１１Ｃを備える。ねじ穴１１Ａは拡散板ガイド１４を固定するためのねじ穴である。ねじ穴１１ＢはLEDブラケット１２を固定するためのねじ穴である。ねじ穴１１Ｃは拡散板ガイド１７を固定するためのねじ穴である。
【００３０】
ベースプレート１１は、LEDブラケット１２、熱伝導シート１３−１〜１３−１６を介してLED基板１５−１〜１５−１６を支持する。また、ベースプレート１１は、LEDブラケット１２、熱伝導シート１３−１〜１３−１６を介してLED基板１５−１〜１５−１６から伝導した熱を放熱する。ベースプレート１１の材質、形状は、これら支持、放熱の観点から適宜選択することが好ましい。
【００３１】
LEDブラケット１２はアルミニウム等の金属板を折り曲げたものである。図示したように内側には開口５に対応する円孔を有する。また、LEDブラケット１２はベースプレート１１のねじ穴１１Ｂに対応するねじ穴１２Ｂを有する。LEDブラケット１２の外側は正十六角形を描き、その各辺から、支持板１２−１〜１２−１６がベースプレート１１から斜めに立ち上がる。LEDブラケット１２は熱伝導シート１３−１〜１３−１６を介してLED基板１５−１〜１５−１６を支持する。また、LEDブラケット１２は、熱伝導シート１３−１〜１３−１６を介してLED基板１５−１〜１５−１６から伝導した熱を放熱すると共に、熱をベースプレート１１に伝導する。LEDブラケット１２の材質、形状は、これら支持、放熱、伝熱の観点から適宜選択することが好ましい。
【００３２】
熱伝導シート１３−１〜１３−１６は１６枚の熱伝導シートである。熱伝導シート１３−１〜１３−１６は、LED基板１５−１〜１５−１６が発生する熱を素早くLEDブラケット１２の支持板１２−１〜１２−１６に伝えるために設けられている。熱伝導シート１３−１〜１３−１６は例えばシリコーン系部材、アクリル系部材、多孔質セラミック等からなる。尚、以下では熱伝導シート１３−１〜１３−１６を総称して熱伝導シート１３と記すこともある。
【００３３】
拡散板ガイド１４は例えばABS樹脂、即ち、アクリロニトリル(Acrylonitrile)、ブタジエン(Butadiene)、スチレン(Styrene)共重合合成樹脂からなる円環状の部品である。拡散板ガイド１４はベースプレート１１のねじ穴１１Ａに対応する不図示のねじ穴１４Ａを有する。
【００３４】
図４に示したように拡散板ガイド１４は上側に溝１４Ｂを有する。この溝に、拡散板１６がなす円錐台の２つの底面のうち、下側の底面の円周を嵌め込むことにより、拡散板ガイド１４は拡散板１６を支持する。
【００３５】
LED基板１５−１〜１５−１６は、発光素子であるLEDと、LEDを発光させるために必要な回路を組み込んだ基板である。LED基板１５−１〜１５−１６は、それぞれ順に、熱伝導シート１３−１〜１３−１６を介して、LEDブラケット１２の支持板１２−１〜１２−１６に支持される。以下、LED基板１５−１〜１５−１６を総称してLED基板１５と記すこともある。
【００３６】
拡散板１６は、アクリル樹脂等の透明材料の中に、拡散剤と呼ばれる透明材料と屈折率の異なる粒子を分散させた板材を、予め定められた形状に切り出した後で、丸めて円錐台状にしたものである。透明材料は例えばガラス、ポリカーボネート樹脂、ポリスチレン樹脂等であってもよい。拡散剤は例えばシリカ、炭酸カルシウム、硫酸バリウム、シリコーン、ポリスチレン樹脂、ポリカーボネート樹脂の微粒子を用いる。
【００３７】
拡散板１６は、LED基板１５のLEDが発する光を拡散し、光が当たった範囲内の明るさを一様にする機能を有する。LED基板１５上のLEDはそれぞれ実質的に点光源として作用するので、そのままではワーク４の表面に照明ムラが生じる恐れがある。拡散板１６は、点光源が放射した光を拡散して、光が当たる範囲を拡大すると共に、その範囲内の明るさを均一化する。このため、ワーク４の表面で照明ムラが発生するのを抑制することができる。
【００３８】
拡散板ガイド１７は、例えばABS樹脂、即ち、アクリロニトリル(Acrylonitrile)、ブタジエン(Butadiene)、スチレン(Styrene)共重合合成樹脂からなる。図５を参照すると、拡散板ガイド１７は中空の円筒部１７Ａ、円筒部１７Ａの一方の開口に配置された円環部１７Ｂ、ベースプレート１１のねじ穴１１Ｃに対応するねじ穴１７Ｃを備える。また、拡散板ガイド１７は拡散板ガイド１８を固定するためのねじ穴１７Ｄを備える。
【００３９】
円環部１７Ｂの開口１７Ｅには傾斜が設けられている。開口部１７Ｅの直径は上側と下側とで異なる。上側、即ち、図１におけるワーク４側の半径は大きく、下側、即ち、図１におけるカメラ３側の半径は小さい。開口部１７Ｅの内壁は円錐台の錐体面をなす。この錐体面は、拡散板１６がなす円錐台の錐体面に対応する。開口１７Ｅの錐体面は拡散板１６の錐体面を保持する。
【００４０】
拡散板ガイド１８は、例えばABS樹脂、即ち、アクリロニトリル(Acrylonitrile)、ブタジエン(Butadiene)、スチレン(Styrene)共重合合成樹脂からなる円環板状の部品である。拡散板ガイド１８は拡散板ガイド１７のねじ穴１７Ｄに対応するねじ穴１８Ｄを備える。
【００４１】
拡散板ガイド１８の開口１８Ａは、拡散板ガイド１７の開口部１７Ｅの上側よりもわずかに小さい。図５を参照すると、開口１８Ａの内側の半径をＲａとし、開口部１７Ｅの内側、上側の半径をＲｂとし、拡散板１６をなす板材の厚さをＴとする。拡散板１６がなす円錐台に対応する円錐の頂点Ｏから、その円錐の底面に垂線を下し、錐体面と垂線がなす角度をθとする。この垂線は光軸７と一致する。このとき次の不等式が成り立つようにＲａ、Ｒｂ、Ｔ、θを定める。 
Ｒａ≦Ｒｂ−Ｔ／ｃｏｓθ…（式１）
【００４２】
式１の関係を満たすようにすれば、開口１８Ａの内径は、拡散板ガイド１７が保持した拡散板１６の内径よりも小さくなる。このため、拡散板１６は、光軸７の方向については、拡散板ガイド１４と拡散板ガイド１８によって固定される。光軸７に垂直な面の方向については、拡散板１６は拡散板ガイド１４の溝１４Ｂと、拡散板ガイド１７の開口部１７Ｅによって固定される。
【００４３】
次に、拡散板１６を板材から切り出して円錐台に丸める過程について説明する。図６に示すように、円環をなす２つの円、内円２１と外円２２のうち、外円２２の２本の半径を外半径Ｒ１、Ｒ２と呼ぶとき、内円２１、外円２２、外半径Ｒ１、Ｒ２で囲まれたＣ字型の領域を円環扇形２３と呼ぶものとする。このとき、拡散板板材から円環扇形２３を切り出す。
【００４４】
拡散板板材は、アクリル樹脂、ガラス、ポリカーボネート樹脂、ポリスチレン樹脂等からなる透明材料に、例えばシリカ、炭酸カルシウム、硫酸バリウム、シリコーン、ポリスチレン樹脂、ポリカーボネート樹脂の微粒子のような拡散剤を充填して製造した板材である。これらの拡散板板材は弾性を有し、外力を加えることにより弾性変形する。
【００４５】
切り出した直後の拡散板板材は、図７に示すように円環扇形２３の平板である。図８に示すようにこの平板を弾性変形させて曲げる。円環扇形２３の端部２４、２５を互いに近づけて、図９に示すように両端を接合することにより、円錐台の錐体面を形成して、拡散板１６を形成する。拡散板１６は２つの開口を有する。対応する円錐の頂点側の開口を小円側開口２６と呼び、同じく対応する円錐の底面側の開口を大円側開口２７と呼ぶものとする。
【００４６】
次に、リング照明装置２の組み立て方法について説明する。
【００４７】
LEDブラケット１２に、LED基板１５、熱伝導シート１３を固定し、そのLEDブラケット１２をベースプレート１１に固定する。
【００４８】
次に、拡散板ガイド１４をベースプレート１１に固定する。
【００４９】
次に、図７−９を参照して説明したように、円環扇形２３を丸めて、円錐台の錐体面を形成した拡散板１６を、小円側開口２６を先にして、拡散板ガイド１７の開口部１７Ｅから挿入し、小円側開口２６を拡散板ガイド１４の溝１４Ｂに嵌め込む。この嵌め込みにより拡散板ガイド１４は拡散板１６の変形を維持しながら保持する。このため、弾性体の復元力によって端部２４、２５の小円側開口２６側が開いてしまい、その結果、円錐台の錐体面をなす拡散板１６が元の平板状の円環扇形２３に戻るのを防ぐことができる。また、拡散板ガイド１４は光軸７の下側に拡散板１６が移動するのを抑制する。
【００５０】
ここまでで、ベースプレート１１の上に、LED基板１５及び熱伝導シート１３を固定したLEDブラケット１２と、拡散板ガイド１４とが固定されている。これらを覆うようにして、拡散板ガイド１７を被せて、ベースプレート１１に固定する。
【００５１】
拡散板ガイド１７をベースプレート１１に固定する際、大円側開口２７を拡散板ガイド１７の開口部１７Ｅに嵌め込む。これにより、拡散板ガイド１７は拡散板１６の変形を維持しながら、大円側開口２７を保持する。拡散板ガイド１７は、弾性体の復元力によって端部２４、２５の大円側開口２７側が開いてしまい、その結果、円錐台の錐体面をなす拡散板１６が元の平板状の円環扇形２３に戻るのを防ぐことができる。
【００５２】
拡散板１６の高さ、及び、拡散板ガイド１７の高さは、拡散板ガイド１７をベースプレート１１に固定したとき、大円側開口２７の縁の高さと、円環部１７Ｂの表面とが一致するように構成される。これにより、拡散板ガイド１７をベースプレート１１に固定したとき、上側において、拡散板１６と拡散板ガイド１７の間に段差が生じない。
【００５３】
上述のように、開口部１７Ｅは、拡散板１６がなす円錐台の錐体面に対応する斜面を有するので、拡散板ガイド１７が拡散板１６を保持する際、開口１７Ｅと拡散板１６の間には隙間が生じない。
【００５４】
最後に、拡散板ガイド１７の上側に拡散板ガイド１８を固定する。図５を参照して説明したように、開口１８Ａの内径は、拡散板ガイド１７が保持した拡散板１６の内径よりも小さくなる。拡散板ガイド１８は、ちょうど拡散板１６の大円側開口２７に上から蓋をしたように作用して、拡散板１６が光軸７の上側に移動するのを抑制する。一方、拡散板１６の光軸７の下側への移動については、拡散板ガイド１４が抑制する。このため、拡散板１６の光軸７方向の移動は、拡散板ガイド１４と拡散板ガイド１８に挟まれて抑制され、リング照明装置２の中に固定される。尚、拡散板１６の光軸７に対して垂直な面の方向への移動については、拡散板ガイド１４の溝１４Ｂと、拡散板ガイド１７の開口部１７Ｅによって抑制される。
【００５５】
拡散板ガイド１４、１７、１８は例えば3Dプリンタによって製造することができる。3Dプリンタを用いると、様々な大きさの拡散板ガイド１４、１７、１８を容易に製造することができる。本発明の拡散板１６も様々な大きさのものを容易に製造することができる。特に、ワーク４が大きくなると、リング照明装置２も大きくなり、拡散板１６も大型化する。従来の拡散板の製造方法では、金型が必要になるため、大型化が困難だったが、本発明の拡散板は平板を円環扇形に切り出した後、丸めて成形するため、金型が不要であり、大型化が容易である。
【００５６】
（変形１）
リング照明装置２の一変形であるリング照明装置３０について説明する。図１０を参照すると、リング照明装置３０は、リング照明装置２に、ライトコントロールフィルム（Light Control Film、以下LCFとも記す）３１を追加したものである。
【００５７】
図１０に示すように、LCF３１は拡散板１６の内側に載置され、拡散板１６と共に、拡散板ガイド１４、１７、１８によって支持される。LCF３１は、特定方向を通過した光の拡散を抑制し、光の平行度を高める効果を有する。
【００５８】
上述のように、拡散板１６は、LED基板１５のLEDが発する光を拡散して、光の照射範囲を広げると共に、照射範囲内の明るさを均一化する。光を拡散することにより、拡散板１６は様々な方向に向かって光を出射するので、ワーク４の表面には様々な方向からの光が到来する。その結果、ワーク４の表面の陰影が不鮮明になる恐れがある。LCF３１は、拡散板１６から出射した光の平行度を高め、ワーク４表面の陰影を強調する機能を有する。
【００５９】
LCF３１は、１６枚のLCF片３２−１〜３２−１６からなる。以下、LCF片３２−１〜３２−１６を総称してLCF片３２とも記す。図１１に示すように、LCF片３２は、ライトコントロールフィルムのフィルム材を、円環扇形に切り出したものである。
【００６０】
LCF３１からの出射光は方向性を有する。このため、ワーク４に対して所望の方向から光を当てるためには、出射光の方向を考慮してLCF３１を拡散板１６上に配置する必要がある。LCF３１は１６枚のLCF片３２に分割されているので、LCF片３２の一片毎に方向を最適化して配置することができる。
【００６１】
（変形２）
リング照明装置２、３０では、弾性体である拡散板の平板板材を丸めて、円錐台の錐体面を形成したものを拡散板１６として用いた。その際、拡散板ガイド１４、１８によって、拡散板１６が光軸７方向に移動するのを抑制する一方、拡散板ガイド１４、１７によって、平板板材に戻ろうとする復元力を抑制しつつ、光軸７に対して垂直な方向に拡散板１６が移動するのを抑制した。
【００６２】
このように、拡散板ガイド１４、１７、１８は、拡散板１６の移動と復元力による変形を抑制するが、本発明では、拡散板の形状は必ずしも円錐台の錐体面を形成する必要はない。
【００６３】
例えば、円錐台を二等分したものの一方の錐体面を考える。円錐台の上下の２つの底面が共に半円となるように、光軸７を含む面に沿って円錐台を二等分する。図１２に示すように、こうしたいわば半円錐台の錐体面を形成するように、拡散板板材を曲げて弾性変形させたものを、拡散板４０として拡散板１６の代わりに用いることとしてもよい。
【００６４】
この場合、拡散板１６を拡散板４０に単に置き換えるだけではなく、ベースプレート１１、LEDブラケット１２、熱伝導シート１３、拡散板ガイド１４、LED基板１５、拡散板１６、拡散板ガイド１７、１８についても、例えば図４、１０において光軸７を含む面に沿って二等分した半円形状、半円柱形状、或いは、半円錐台の錐体面状にすることが好ましい。
【００６５】
本発明は上記の実施の形態やその変形に限定されるものではないことはいうまでもなく、目的や用途に応じて適宜設計変更可能である。
【００６６】
例えば、変形２では、光軸７を含む平面で円錐台を二等分し、その一方の錐体面をなす拡散板を用いたが、必ずしも円錐台を二等分する必要はない。光軸７を含み、かつ、光軸７で互いに角度φで交わる２平面を考える。この２平面によって二分した円錐台の一方の錐体面をなすような拡散板を用いることとしてもよい。角度φは０度より大きく１８０度以下の任意の角度である。角度φが１８０度のとき上述の二等分に相当する。この場合、ベースプレート１１、LEDブラケット１２、熱伝導シート１３、拡散板ガイド１４、LED基板１５、拡散板１６、拡散板ガイド１７、１８についても、それぞれがなす円弧の中心角が角度φとなるようにすればよい。
【符号の説明】
【００６７】
１、５０  撮影システム
２、３０、５１  リング照明装置
３  カメラ
４  ワーク
５  開口
６  撮影台
７  光軸
１１  ベースプレート
１１Ａ、１１Ｂ、１１Ｃ  ねじ穴
１２  LED(Light Emitting Diode)ブラケット
１３  熱伝導シート
１４、１７、１８  拡散板ガイド
１４Ｂ  溝
１５  LED基板
１６、４０  拡散板
１７Ａ  円筒部
１７Ｂ  円環部
１７Ｄ  ねじ穴
１７Ｅ  開口部
１８Ａ  開口
２１  内円
２２  外円
２３  円環扇形
２４、２５  端部
２６  小円側開口
２７  大円側開口
３１  ライトコントロールフィルム（LCF）
３２  ライトコントロールフィルム（LCF）片
【図１】
2018098091.tif 000003
【図２】
2018098091.tif 000004
【図３】
2018098091.tif 000005
【図４】
2018098091.tif 000006
【図５】
2018098091.tif 000007
【図６】
2018098091.tif 000008
【図７】
2018098091.tif 000009
【図８】
2018098091.tif 000010
【図９】
2018098091.tif 000011
【図１０】
2018098091.tif 000012
【図１１】
2018098091.tif 000013
【図１２】
2018098091.tif 000014
【図１３】
2018098091.tif 000015